(57)【特許請求の範囲】
【請求項１】
信号が入力されるｎ個の入力ポートと、前記各入力ポートから出力される信号をスイッチして出力するスイッチモジュールと、前記スイッチモジュールから出力される信号を出力するｎ個の出力ポートと、を有するｎ×ｎのパケットスイッチ装置が少なくとも２台以上接続されるパケットスイッチ装置において、
前記入力ポートに設けられ、前記入力ポートから出力される信号を前記スイッチモジュールと他のパケットスイッチ装置のスイッチモジュールとで共有するように分離して各スイッチモジュールに出力する振り分け手段と、
前記出力ポートに設けられ、前記スイッチモジュールと前記他のパケットスイッチ装置のスイッチモジュールから出力される信号を選択して多重する合成手段と、
を有することを特徴とするパケットスイッチ装置。
【請求項２】
前記振り分け手段は、前記信号をｍ本の信号に振り分けることを特徴とする請求項１に記載のパケットスイッチ装置。
【請求項３】
前記振り分け手段は、
前記入力された信号をｍ本の信号に分離する分離回路と、
前記分離回路で分離された信号のうち、ｍ−１本を共有する相手側のパケットスイッチ装置のスイッチモジュールに出力すると共に、前記共有する相手側のパケットスイッチ装置のスイッチモジュールから出力されるｍ−１本の信号を受信する手段と、
前記分離回路から出力されるｍ−１本の信号と、前記共有する相手側のパケットスイッチ装置のスイッチモジュールから出力されるｍ−１本の信号との、２ｍ−２本の信号のうち、ｍ−１本を選択出力する入力側選択回路と、
を有し、
前記入力側選択回路から出力されるｍ−１本の信号と前記分離回路から出力される１本の信号とをｍ本の信号として前記スイッチモジュールに出力することを
特徴とする請求項１または請求項２に記載のパケットスイッチ装置。
【請求項４】
前記合成手段は、
前記スイッチモジュ−ルから出力されるｍ本の信号のうち、ｍ−１本を前記共有する相手側のパケットスイッチ装置のスイッチモジュールに出力するとともに、前記共有する相手側のパケットスイッチ装置のスイッチモジュールから出力されるｍ−１本の信号を受信する手段と、
前記スイッチモジュ−ルから出力されるｍ−１本の信号と、前記共有する相手側のパケットスイッチ装置のスイッチモジュールから出力されるｍ−１本の信号との、２ｍ−２本の信号からｍ−１本を選択出力する出力側選択回路と、
前記出力側選択回路から出力されるｍ−１本の信号と前記スイッチモジュ−ルから出力される１本の信号とであるｍ本の信号を多重する多重回路と、
を有することを特徴とする請求項１から請求項３のうちいずれかに記載のパケットスイッチ装置。
【発明の詳細な説明】
【０００１】
【発明の属する技術分野】
本発明はパケットスイッチ装置に関し、特にパケットスイッチ装置のスイッチ容量の拡張方式に関する。
【０００２】
【従来の技術】
従来、パケットスイッチ装置に属する交換装置、ＡＴＭスイッチ及びＡＴＭクロスコネクトでは、特開平５−３０８６８７号公報、特開平５−２２７１９５号公報、特開平７−６６８２７号公報などに示されるスイッチ容量の拡張方式が用いられている。
【０００３】
図６は、従来の２台のパケットスイッチを接続したスイッチ拡張方式の一例を示す構成ブロック図で、ここでは特開平５−３０８６８７号公報で示されている構成を示している。図において、各パケットスイッチ装置６−１、６−２はｎ個の入力インタフェ−ス部６−１１１〜６−１１ｎ、６−１２１〜６−１２ｎとｎ個の出力インタフェ−ス部６−２１１〜６−２１ｎ、６−２２１〜６−２２ｎ及びｎ×ｎのスイッチモジュ−ル６−３１、６−３２から構成され、各パケットスイッチ装置６−１、６−２は単独ではｎ個の入力インタフェ−ス部に入力された信号をｎ×ｎスイッチモジュ−ルを介して任意のｎ個の出力モジュ−ルへ出力するｎ×ｎのパケットスイッチ装置として動作する。このパケットスイッチ装置の容量を増加する場合は、ｎ×ｎスイッチモジュ−ルの一部を装置間接続用に使用することにより、複数台のパケットスイッチを接続しスイッチ容量を拡張する。
【０００４】
図７は特開平５−２２７１９５号公報、特開平７−６６８２７号公報で示されているスイッチ拡張方式の一例を示す構成ブロック図である。パケットスイッチ装置７−１〜７−ｍは、ｎ個の入力インタフェ−ス部７−１１１〜７−１１ｎ、…、７−１ｍ１〜７−１ｍｎとｎ個の出力インタフェ−ス部７−２１１〜７−２１ｎ、…、７−２ｍ１〜７−２ｍｎ及びｎ×ｎのスイッチモジュ−ル７−３１、…、７−３ｍから構成され、各パケットスイッチ装置７−１〜７−ｍは単独ではｎ個の入力インタフェ−ス部に入力された信号をｎ×ｎスイッチモジュ−ルを介して任意のｎ個の出力モジュ−ルへ出力するｎ×ｎのパケットスイッチ装置として動作する。このパケットスイッチ装置のスイッチ容量を増加させる場合は、各パケットスイッチ装置７−１〜７−ｍをｍｎ−ｎコンセントレ−タモジュ−ルまたはｎ（ｍ−１）×ｎスイッチモジュ−ル７−０１〜７−０ｍをｍ個有する拡張スイッチ装置７−０に接続することにより、スイッチ容量をｍｎ×ｍｎに拡張する。
【０００５】
【発明が解決しようとする課題】
しかしながら、図６の装置では、ｎ×ｎのスイッチモジュ−ルの一部を装置間の接続するために使用するため、スイッチ容量拡張の効率が良くないという課題があった。また、図７の装置では、スイッチ容量拡張のためにｍｎ−ｎコンセントレ−タやｎ（ｍ−１）×ｎスイッチモジュ−ルをｍ個有する拡張スイッチ装置が必要になり、装置が大規模になるという課題があった。本発明は上述する課題を解決するもので、スイッチ容量拡張の効率を向上すると共に拡張のために追加装置を必要としないパケットスイッチ装置を提供することにある。
【０００６】
【課題を解決するための手段】
上記課題を解決する請求項１に記載のパケットスイッチ装置は、信号が入力されるｎ個の入力ポートと、前記各入力ポートから出力される信号をスイッチして出力するスイッチモジュールと、前記スイッチモジュールから出力される信号を出力するｎ個の出力ポートと、を有するｎ×ｎのパケットスイッチ装置が少なくとも２台以上接続されるパケットスイッチ装置において、前記入力ポートに設けられ、前記入力ポートから出力される信号を前記スイッチモジュールと他のパケットスイッチ装置のスイッチモジュールとで共有するように分離して各スイッチモジュールに出力する振り分け手段と、前記出力ポートに設けられ、前記スイッチモジュールと前記他のパケットスイッチ装置のスイッチモジュールから出力される信号を選択して多重する合成手段と、を有することを特徴とする。
【０００７】
また、請求項２記載の発明によれば、請求項１に記載のパケットスイッチ装置において、前記振り分け手段は、前記信号をｍ本の信号に振り分けることを特徴とする。
【０００８】
また、請求項３記載の発明によれば、請求項１または請求項２に記載のパケットスイッチ装置において、前記振り分け手段は、前記入力された信号をｍ本の信号に分離する分離回路と、前記分離回路で分離された信号のうち、ｍ−１本を共有する相手側のパケットスイッチ装置のスイッチモジュールに出力すると共に、前記共有する相手側のパケットスイッチ装置のスイッチモジュールから出力されるｍ−１本の信号を受信する手段と、前記分離回路から出力されるｍ−１本の信号と、前記共有する相手側のパケットスイッチ装置のスイッチモジュールから出力されるｍ−１本の信号との、２ｍ−２本の信号のうち、ｍ−１本を選択出力する入力側選択回路と、を有し、前記入力側選択回路から出力されるｍ−１本の信号と前記分離回路から出力される１本の信号とをｍ本の信号として前記スイッチモジュールに出力することを特徴とする。
このように構成された装置によれば、拡張のために他のパケットスイッチ装置と接続する場合に、その接続を入力側選択回路により行い、スイッチモジュ−ルの一部の入力ポ−トを拡張用の接続に使用しないため、スイッチの効率が低下しない。
【０００９】
また、請求項４記載の発明によれば、請求項１から請求項３のうちいずれかに記載のパケットスイッチ装置において、前記合成手段は、前記スイッチモジュ−ルから出力されるｍ本の信号のうち、ｍ−１本を前記共有する相手側のパケットスイッチ装置のスイッチモジュールに出力するとともに、前記共有する相手側のパケットスイッチ装置のスイッチモジュールから出力されるｍ−１本の信号を受信する手段と、前記スイッチモジュ−ルから出力されるｍ−１本の信号と、前記共有する相手側のパケットスイッチ装置のスイッチモジュールから出力されるｍ−１本の信号との、２ｍ−２本の信号からｍ−１本を選択出力する出力側選択回路と、前記出力側選択回路から出力されるｍ−１本の信号と前記スイッチモジュ−ルから出力される１本の信号とであるｍ本の信号を多重する多重回路と、を有することを特徴とする。
このように構成された装置によれば、拡張のために他のパケットスイッチ装置と接続する場合に、その接続を出力側選択回路により行い、スイッチモジュ−ルの一部の出力ポ−トを拡張用の接続に使用しないため、スイッチの効率が低下しない。
【００１２】
【発明の実施の形態】
以下、図面を用いて本発明の実施の形態を説明する。
図１は、本発明の一実施の形態を説明する構成ブロック図である。図において、パケットスイッチ装置１−１は、速度Ｖの信号を受信するｎ個の入力インタフェ−ス部１−１１１〜１−１１ｎ、速度Ｖの信号を出力するｎ個の出力インタフェ−ス部１−２１１〜１−２１ｎ及び一つの入力、出力ポ−トの速度がＶ／ｍであるｎｍ×ｎｍのスイッチモジュ−ル１−３１から構成される。ここで、速度Ｖの信号とは、伝送路速度のことで、例えば１５５．５２Ｍｂｐｓ、６２２．０８Ｍｂｐｓ、２４８８．３２Ｍｂｐｓ等がある。また、“速度Ｖ／ｍ”は、速度Ｖの信号がｍ本に均等に分離されて、ｍ本の速度Ｖ／ｍの信号となっていることを意味している。
【００１３】
入力インタフェ−ス部１−１１１は、速度Ｖの入力信号を各々の速度がＶ／ｍのｍ本の信号に分離する分離回路１−４１１と、分離回路１−４１１から出力された速度Ｖ／ｍ信号のｍ本の信号の内ｍ−１本と他のパケットスイッチ装置から入力される速度Ｖ／ｍ信号のｍ−１本からｍ−１本の信号を選択する入力側選択回路１−５１１を有している。他の入力インタフェ−ス部１−１１２〜１−１１ｎも同様に、分離回路１−４１２〜１−４１ｎ（図示せず）と入力側選択回路１−５１２〜１−５１ｎ（図示せず）を有している。
【００１４】
出力インタフェ−ス部１−２１１は、スイッチモジュ−ル１−３１からの各々の速度がＶ／ｍのｍ本の信号の内ｍ−１本と他のパケットスイッチ装置からの速度Ｖ／ｍのｍ−１本の信号からｍ−１本の信号を選択する出力側選択回路１−６１１と、出力側選択回路１−６１１で選択された速度Ｖ／ｍのｍ−１本の信号とスイッチモジュ−ル１−３１からの速度Ｖ／ｍの１本の信号を速度Ｖの信号に変換する多重回路１−７１１から構成される。他の出力インタフェ−ス部１−２１２〜１−２１ｎも同様に、出力側選択回路１−６１２〜１−６１ｎ（図示せず）と多重回路１−７１２〜１−７１ｎ（図示せず）を有している。
【００１５】
スイッチモジュ−ル１−３１は速度Ｖ／ｍの入力ポ−トをｍｎ個と速度Ｖ／ｍの出力ポ−トをｍｎ個有し、ｎ個の入力インタフェ−ス部１−１１１〜１−１１ｎからＶ／ｍ速度信号ｍ本×ｎ組みがスイッチモジュ−ル１−３１の入力ポ−トに接続され、ｍｎ個の出力ポ−トからの速度Ｖ／ｍの信号はｎ個の出力インタフェ−ス部１−２１１〜１−２１ｎにｍ本づつ接続されている。
【００１６】
このように構成された装置の動作を次に説明する。尚、以下の説明では、入力インタフェ−ス部１−１１１〜１−１１ｎについては入力インタフェ−ス部１−１１１を代表として説明して、他の入力インタフェ−ス部１−１１２〜１−１１ｎについては説明を適宜省略する。また、出力インタフェ−ス部１−２１１〜１−２１ｎについても、出力インタフェ−ス部１−２１１を代表として説明して、他の出力インタフェ−ス部１−２１２〜１−２１ｎについては説明を適宜省略する。
【００１７】
まず、図１のパケットスイッチ装置を他のパケットスイッチと接続せずに単独として使用する場合における、ｎ×ｎのパケットスイッチの動作を図１を用いて説明する。入力インタフェ−ス部１−１１１に入力される速度Ｖの信号は、分離回路１−４１１で各々の速度がＶ／ｍのｍ本の信号に分離され、そのうちｍ−１本の信号は入力側選択回路１−５１１に入力される。入力側選択回路１−５１１では、他のパケットスイッチからのｍ−１本の信号と分離回路１−４１１からのｍ−１本の信号から、この場合は分離回路１−４１１からのｍ−１本の信号を選択する。従って、各入力インタフェ−ス部１−１１１〜１１ｎからスイッチモジュ−ル１−３１へは、入力インタフェ−ス部１−１１１〜１１ｎに入力された速度Ｖの信号が速度Ｖ／ｍに分離されたｍ本の信号が入力される。
【００１８】
ｍｎ×ｍｎのスイッチングモジュ−ル１−３１では、ｎ個の入力インタフェ−ス部１−１１１〜１−１１ｎから入力された各々の速度がＶ／ｍのｍ本に均等に分離されたｍｎ本の信号をｍ本一組として取り扱いｎ×ｎスイッチとして動作する。つまり、スイッチモジュ−ル１−３１は入力ポ−ト番号及び出力ポ−ト番号１〜ｍ、ｍ＋１〜２ｍ、…、（ｎ−１）ｍ＋１〜ｎｍのｎ組みを任意の入力から出力に接続するｎ×ｎスイッチとして動作する。スイッチモジュ−ル１−３１から出力された各々の速度がＶ／ｍのｍ本のｎ組みの信号は、ｍ本づつ各出力インタフェ−ス部１−２１１〜１−２１ｎに入力され、各々の速度がＶ／ｍのｍ本の信号の内ｍ−１本は出力側選択回路１−６１１に入力される。
【００１９】
出力側選択回路１−６１１では、他のパケットスイッチ装置からの速度Ｖ／ｍのｍ−１本とスイッチモジュ−ルからの速度Ｖ／ｍのｍ−１本の信号の内、この場合はスイッチモジュ−ル１−３１からのｍ−１本の信号を選択し、多重回路１−７１１へ出力される。多重回路１−７１１は、スイッチモジュ−ル１−３１からの速度Ｖ／ｍの１本の信号と出力側選択回路からの速度Ｖ／ｍのｍ−１本の信号を多重し速度Ｖの信号として出力する。以上の様にしてパケットスイッチ装置を単独で使用する場合は、速度Ｖの入力信号ｎ本を速度Ｖの任意の出力信号ｎ本へスイッチングするｎ×ｎのパケットスイッチとして動作する。
【００２０】
次に、上記パケットスイッチをｍ台接続し、ｍｎ×ｍｎのパケットスイッチに容量拡張された場合の動作を説明する。図２は図１のパケットスイッチ装置をｍ台接続した構成例を示す接続ブロック図である。各入力インタフェ−ス部２−１１１〜２−１１ｎ、２−１２１〜２−１２ｎ、…、２−１ｍ１〜２−１ｍｎに入力される速度Ｖの入力信号は、入力インタフェ−ス部の分離回路で各々の速度がＶ／ｍのｍ本の信号に分離され、そのうちｍ−１本の信号は入力インタフェ−ス部の入力側選択回路に入力されると同時に他のパケットスイッチ装置２−１〜２−ｍへ出力される。入力側選択回路では、他のｍ−１台のパケットスイッチ装置２−１〜２−ｍから各１本づつのｍ−１本の信号と入力インタフェ−ス部の分離回路からのｍ−１本の信号の内、この場合は他のｍ−１台のパケットスイッチ装置２−１〜２−ｍから各１本づつのｍ−１本の信号を選択する。
【００２１】
入力インタフェ−ス部２−１１１〜２−１１ｎ、２−１２１〜２−１２ｎ、…、２−１ｍ１〜２−１ｍｎ間の信号の接続は以下の様に行われる。入力インタフェ−ス２−１１１からのｍ−１本の出力信号は入力インタフェ−ス部２−１２１、２−１３１〜２−１ｍ１に各１本ずつ入力される。入力インタフェ−ス２−１１２からのｍ−１本の出力信号は入力インタフェ−ス部２−１２２、２−１３２〜２−１ｍ２に各１本ずつ入力される。以下同様にして、入力インタフェ−ス２−１１ｎからのｍ−１本の出力信号は入力インタフェ−ス部２−１２ｎ、２−１３ｎ〜２−１ｍｎに各１本ずつ入力される。
【００２２】
各ｎｍ×ｎｍのスイッチングモジュ−ル２−３１〜２−３ｍにはｎ個の入力インタフェ−ス部２−１１１〜２−１１ｎ、２−１２１〜２−１２ｎ、  …、２−１ｍ１〜２−１ｍｎから速度Ｖ／ｍのｎｍ本の信号が入力されるが、この信号はｎｍ個の入力インタフェ−ス部から速度Ｖ／ｍの信号が各１本づつのｎｍ本の信号である。各ｎｍ×ｎｍのスイッチモジュ−ル２−３１〜２−３ｍはｎｍ本の信号を１本づつ独立に扱い、ｎｍ個の入力信号を任意ｎｍ個の出力ポ−トへ出力するｎｍ×ｎｍのスイッチとして動作する。つまり、スイッチモジュ−ル２−３１〜２−３ｍの入力・出力ポ−ト１番はパケットスイッチ装置２−１の入力・出力インタフェ−ス２−１１１、２−２１１に対応し、入力・出力ポ−ト２番はパケットスイッチ装置２−２の入力・出力インタフェ−ス２−１２１、２−２２１に対応する。
【００２３】
以下同様に入力・出力ポ−トｍｎ番はパケットスイッチ装置２−ｍの入力・出力インタフェ−ス２−１ｍｎ、２−２ｍｎに対応するスイッチ動作を行う。各スイッチモジュ−ル２−３１〜２−３ｍから各々の速度がＶ／ｍのｍ本の信号を受信した各出力インタフェ−ス部２−２１１〜２−２１ｎ、２−２２１〜２−２２ｎ、…、２−２ｍ１〜２−２ｍｎは、ｍ−１本の信号を他のパケットスイッチ装置２−１〜２−ｍへ出力すると同時に出力インタフェ−ス部２−２１１〜２−２１ｎ、２−２２１〜２−２２ｎ、…、２−２ｍ１〜２−２ｍｎの出力側選択回路に入力する。
【００２４】
出力側選択回路では、他のｍ−１台のパケットスイッチ装置２−１〜２−ｍから各１本づつのｍ−１本の信号と出力側選択回路からのｍ−１本の信号の内、この場合は他のｍ−１台のパケットスイッチ装置２−１〜２−ｍから各１本づつのｍ−１本の信号を選択する。出力インタフェ−ス部２−２１１〜２−２１ｎ、２−２２１〜２−２２ｎ、…、２−２ｍ１〜２−２ｍｎの多重回路は、スイッチモジュ−ル２−３１〜２−３ｍからの速度Ｖ／ｍの１本の信号と出力側選択回路からの速度Ｖ／ｍのｍ−１本の信号を多重し速度Ｖの信号として出力する。以上の様にしてパケットスイッチ装置をｍ台で接続して使用し、速度Ｖの入力回線信号ｍｎ本を速度Ｖの任意の出力回線ｍｎ本へスイッチングするｍｎ×ｍｎのパケットスイッチとして動作する。
【００２５】
図３はｍ＝４、ｎ＝２とした場合にパケットスイッチ装置１台で２×２のパケットスイッチと拡張される構成を示している。図４はｍ＝４、ｎ＝２とした場合にパケットスイッチ装置２台を接続した場合に４×４のパケットスイッチと拡張される構成を示している。図５はｍ＝４、ｎ＝２とした場合にパケットスイッチ装置４台接続した場合に８×８のパケットスイッチと拡張される構成を示している。
【００２６】
尚、上記実施例においてはパケットスイッチ装置を構成する入力インタフェ−ス部と出力インタフェ−ス部のｎ本全てが同じ速度Ｖの場合を示したが、本発明はこれに限定されるものではなく、入力インタフェ−ス部と出力インタフェ−ス部のスイッチモジュ−ルとのインタフェ−スが、合計で速度Ｖとなっていればよい。例えば、入力／出力ポートは１５５．５２Ｍｂｐｓの伝送路が１６本で２４８８．３２Ｍｂｐｓ、６２２．０８Ｍｂｐｓの伝送路が４本で２４８８．３２Ｍｂｐｓ、２４８８．３２Ｍｂｐｓの伝送路が１本で２４８８．３２Ｍｂｐｓでスイッチモジュ−ルとインタフェ−スする等の組み合わせで、２４８８．３２Ｍｂｐｓのｎ本がスイッチモジュ−ルとインタフェ−スする構成とする。
【００２７】
【発明の効果】
以上説明したように、この発明によれば、信号が入力されるｎ個の入力ポートと、各入力ポートから出力される信号をスイッチして出力するスイッチモジュールと、スイッチモジュールから出力される信号を出力するｎ個の出力ポートと、を有するｎ×ｎのパケットスイッチ装置が少なくとも２台以上接続されるパケットスイッチ装置において、入力ポートから出力される信号をスイッチモジュールと他のパケットスイッチ装置のスイッチモジュールとで共有するようにしたので、単独のパケットスイッチ装置ではｎ×ｎのパケットスイッチ装置として働くと共に、ｍ台までの範囲でパケットスイッチ装置を接続して、最大ｍｎ×ｍｎのパケットスイッチ装置として働くので、入力信号と出力信号に応じて柔軟にパケットスイッチ装置の接続台数を調整してシステム構築ができ、装置が大規模化してしまうことを防ぐことができるととともに、単独のスイッチモジュールを新たに設ける必要がないという効果が得られる。
【００２８】
また、本発明によれば、入力側選択回路若しくは出力側選択回路を有しているので、スイッチ容量を拡張する時にスイッチの効率が悪化しないという効果がある。このため効率よくスイッチを利用できるので、装置増設台数が少なくてすむ。その理由はスイッチ拡張のためにパケットスイッチ装置間の接続するのにスイッチモジュ−ルの一部の入力／出力ポ−トを使用することなく拡張可能であるからである。
【００２９】
さらに、本発明によれば、新たにスイッチ容量拡張のための特別な装置が不要であるということである。その理由は、一つのポ−トがｍｎ×ｍｎスイッチモジュ−ルを使用し、パケットスイッチ装置の接続数ｐに応じてスイッチ動作をｍｎ本の信号をｍ／ｐ本を一組としてスイッチモジュ−ルを一つのポ−トの速度がＶ／ｐのｐｎ×ｐｎスイッチとして動作させることにより、新たな拡張用のスイッチを必要としないからである。
【図面の簡単な説明】
【図１】本発明における第１の実施の形態を説明する構成ブロック図である。
【図２】図１のパケットスイッチ装置をｍ台接続した構成例を示す接続ブロック図である。
【図３】パケットスイッチ装置１台で２×２のパケットスイッチと拡張される構成を示している。
【図４】パケットスイッチ装置２台を接続した場合に４×４のパケットスイッチと拡張される構成を示している。
【図５】パケットスイッチ装置４台接続した場合に８×８のパケットスイッチと拡張される構成を示している。
【図６】従来の２台のパケットスイッチを接続したスイッチ拡張方式の一例を示す構成ブロック図である。
【図７】従来のスイッチ拡張方式の他の例を示す構成ブロック図である。
【符号の説明】
１−１：パケットスイッチ装置
１−１１１、１−１１２、〜、１−１１ｎ：入力インタフェ−ス部
１−２１１、１−２１２、〜、１−２１ｎ：出力インタフェ−ス部
１−３１：スイッチモジュ−ル
１−４１１：分離回路
１−５１１：入力側選択回路
１−６１１：出力側選択回路
１−７１１：多重回路
２−１、２−２、〜、２−ｍ：パケットスイッチ装置
２−１１１、〜、２−１１ｎ、２−１２１、〜、２−１２ｎ、〜、２−１ｍ１、〜、２−１ｍｎ：入力インタフェ−ス部
２−２１１、〜、２−２１ｎ、２−２２１、〜、２−２２ｎ、〜、２−２ｍ１、〜、２−２ｍｎ：出力インタフェ−ス部
２−３１、〜、２−３ｍ：スイッチモジュ−ル
３−１：パケットスイッチ装置
３−１１１、３−１１２：入力インタフェ−ス部
３−２１１、３−２１２：出力インタフェ−ス部
３−３１：スイッチモジュ−ル
３−４１１、３−４１２：分離回路
３−５１１、３−５１２：入力側選択回路
３−６１１、３−６１２：出力側選択回路
３−７１１、３−７１２：多重回路
４−１、４−２：パケットスイッチ装置
４−１１１、４−１１２、４−１２１、４−１２２：入力インタフェ−ス部
４−２１１、４−２１２、４−２２１、４−２２２：出力インタフェ−ス部
４−３１、４−３２：スイッチモジュ−ル
４−４１１、４−４１２、４−４２１、４−４２２：分離回路
４−５１１、４−５１２、４−５２１、４−５２２：入力側選択回路
４−６１１、４−６１２、４−６２１、４−６２２：出力側選択回路
４−７１１、４−７１２、４−７２１、４−７２２：多重回路
５−１、５−２、５−３、５−４：パケットスイッチ装置
５−１１１、５−１１２、５−１２１、５−１２２、５−１３１、５−１３２：入力インタフェ−ス部
５−２１１、５−２１２、５−２２１、５−２２２、５−２３１、５−２３２：出力インタフェ−ス部
５−３１、５−３２、５−３３、５−３４：スイッチモジュ−ル
５−４１１、５−４１２、５−４２１、５−４２２、５−４３１、５−４３２：分離回路
５−５１１、５−５１２、５−５２１、５−５２２、５−５３１、５−５３２：入力側選択回路
５−６１１、５−６１２、５−６２１、５−６２２、５−６３１、５−６３２：出力側選択回路
５−７１１、５−７１２、５−７２１、５−７２２、５−７３１、５−７３２：多重回路
６−１、６−２：パケットスイッチ装置
６−１１１、〜、６−１１ｎ、６−１２１、〜、６−１２ｎ：入力インタフェ−ス部
６−２１１、〜、６−２１ｎ、６−２２１、〜、６−２２ｎ：出力インタフェ−ス部
６−３１、６−３２：スイッチモジュ−ル
７−０：拡張スイッチ装置
７−０１、〜、７−０ｍ：ｍｎ−ｎコンセントレ−タまたはｎ（ｍ−１）×ｎスイッチモジュ−ル
７−１、７−２、〜、７−ｍ：パケットスイッチ装置
７−１１１、〜、７−１１ｎ、〜、７−１ｍ１、〜、７−１ｍｎ：入力インタフェ−ス部
７−２１１、〜、７−２１ｎ、〜、７−２ｍ１、〜、７−２ｍｎ：出力インタフェ−ス部
７−３１、〜、７−３ｍ：ｎ×ｎ  スイッチモジュ−ル
【図１】
0003560498.tif 000002
【図２】
0003560498.tif 000003
【図３】
0003560498.tif 000004
【図４】
0003560498.tif 000005
【図５】
0003560498.tif 000006
【図６】
0003560498.tif 000007
【図７】
0003560498.tif 000008